(57)【要約】  ソースデバイス（ＰＣ，ＤＶＤ，ＲＡＤＩＯ，ＭＰ３，ＴＶ１，ＴＶ２）及び再生デバイス（Ｂ１，Ｂ２，ＴＶ１，ＴＶ２，Ｍ）を制御するリモートコントロール装置（３，４）は、テキスト形式で制御命令（ＳＢ）を含む命令ドキュメント（ＤＯＣ）を制御すべきソースデバイス（ＰＣ，ＤＶＤ，ＲＡＤＩＯ，ＭＰ３，ＴＶ１，ＴＶ２）又は再生デバイス（Ｂ１，Ｂ２，ＴＶ１，ＴＶ２，Ｍ）に送る。この際、制御命令（ＳＢ）と制御命令（ＳＢ）の復号とのユーザフレンドリなマッチングが複数のデバイスにおいて可能とされる。
2007506343.tif 000002
【特許請求の範囲】
【請求項１】
少なくとも１つのデバイスを制御するための制御装置であって、前記少なくとも１つのデバイスを制御するための制御命令に関連した入力情報のマニュアル入力のための入力手段と、当該入力された入力情報を符号化し伝送情報を出力する処理手段と、当該デバイスにおいて前記制御命令をアクティブとするために当該デバイスの伝送手段に所定の伝送方法に準じて前記伝送情報を伝送する伝送手段とを有し、前記処理手段は、前記伝送方法とは独立した命令符号化方法に準じて前記入力された入力情報を符号化する命令符号化手段を有し、伝送情報として命令ドキュメントが形成され、当該命令ドキュメントは、テキストエディタにより編集可能なテキストの形式で前記入力された入力情報に関連した制御命令を含む、制御装置。
【請求項２】
請求項１に記載の制御装置であって、前記命令ドキュメントは、ＸＭＬドキュメントにより形成される、制御装置。
【請求項３】
請求項１に記載の制御装置であって、前記伝送手段は、ＷＬＡＮ（WiFi, IEEE 802.11a/b/g）の一部である、制御装置。
【請求項４】
請求項１に記載の制御装置であって、前記伝送手段は、入力情報に対する制御命令の変更された割り当てを受信するように構成され、当該変更された制御命令及び入力情報の関連した記憶のためにメモリ手段が設けられる、制御装置。
【請求項５】
請求項１に記載の制御装置であって、前記命令ドキュメントは、当該伝送される制御命令により制御されるべきデバイスを識別する選択情報を形成するテキストを含む、制御装置。
【請求項６】
請求項１に記載の制御装置であって、前記メモリ手段は、当該制御装置を識別する識別情報を記憶するように構成され、前記識別情報は、制御命令の伝送のために前記命令ドキュメントに付加的に含まれる、制御装置。
【請求項７】
請求項１に記載の制御装置であって、前記制御命令は、前記命令ドキュメントにおいてテキストとして少なくとも２つの言語にて含まれる、制御装置。
【請求項８】
少なくとも１つの制御装置により少なくとも１つのデバイスを制御するシステムであって、前記制御装置は、前記少なくとも１つのデバイスを制御するための制御命令に関連した入力情報のマニュアル入力のための入力手段と、当該入力された入力情報を符号化し伝送情報を出力する処理手段と、当該デバイスにおいて前記制御命令をアクティブとするために当該デバイスの伝送手段に所定の伝送方法に準じて前記伝送情報を伝送する伝送手段とを有し、前記処理手段は、前記伝送方法とは独立した命令符号化方法に準じて前記入力された入力情報を符号化する命令符号化手段を有し、伝送情報として命令ドキュメントが形成され、当該命令ドキュメントは、テキストエディタにより編集可能なテキストの形式で前記入力された入力情報に関連した制御命令を含み、前記少なくとも１つのデバイスは、当該デバイスにおいて前記制御命令をアクティブにするために前記命令ドキュメントを復号する命令復号手段を有する、システム。
【請求項９】
請求項８に記載のシステムであって、前記命令ドキュメントは、ＸＭＬドキュメントによって形成される、システム。
【請求項１０】
請求項８に記載のシステムであって、前記制御装置及び前記少なくとも１つのデバイスにおける前記伝送手段は、ＷＬＡＮ（WiFi, IEEE 802.11a/b/g）の一部である、システム。
【請求項１１】
少なくとも１つの制御装置により少なくとも１つのデバイスを制御する方法であって、
前記少なくとも１つのデバイスを制御するために前記制御装置において制御命令に関連した入力情報をマニュアル入力するステップと、
当該入力された入力情報を符号化し伝送情報を出力するステップと、
当該デバイスにおいて前記制御命令をアクティブとするために当該デバイスの伝送手段に所定の伝送方法に準じて前記伝送情報を伝送するステップと、
が実行され、
前記伝送方法とは独立した命令符号化方法に準じて前記入力された入力情報を符号化し、ここで伝送情報として命令ドキュメントが形成され、当該命令ドキュメントは、テキストエディタにより編集可能なテキストの形式で前記入力された入力情報に関連した制御命令を含むようにしたステップと、
前記制御命令をアクティブにするために当該デバイスにおいて前記命令ドキュメントを復号するステップと、
がさらに実行される、制御方法。
【請求項１２】
請求項１１に記載の制御方法であって、前記命令ドキュメントは、ＸＭＬドキュメントによって形成される、制御方法。
【請求項１３】
請求項１１に記載の制御方法であって、前記伝送情報は、ＷＬＡＮ（WiFi, IEEE 802.11a/b/g）に準じて伝送される、制御方法。
【発明の詳細な説明】
【技術分野】
【０００１】
本発明は、少なくとも１つのデバイスを制御する制御装置に関し、特に、当該少なくとも１つのデバイスを制御するための制御命令に関連する入力情報を手動で入力するための入力手段と、当該入力された入力情報を符号化し伝送情報を出力する処理手段と、当該デバイスにおいて当該制御命令をアクティブにするために当該デバイスの伝送手段に所定の伝送方法に準じて当該伝送情報を伝送する伝送手段とを有する制御装置に関する。
【０００２】
本発明はまた、少なくとも１つの制御装置によって少なくとも１つのデバイスを制御するためのシステムに関し、特に、当該制御装置が、当該少なくとも１つのデバイスを制御するための制御命令に関連する入力情報を手動で入力するための入力手段と、その入力された入力情報を符号化し伝送情報を出力するための処理手段と、当該デバイスにおいて当該制御命令をアクティブにするために当該デバイスの伝送手段に所定の伝送方法に準じて伝送情報を伝送する伝送手段とを有するものに関する。
【０００３】
本発明はさらに、少なくとも１つの制御装置により少なくとも１つのデバイスを制御するための制御方法に関し、特に、
【０００４】
当該少なくとも１つのデバイスを制御するために当該制御装置において制御命令に関連する入力情報の手動入力を行うステップと、
【０００５】
当該入力された入力情報を符号化し伝送情報を出力するステップと、
【０００６】
当該デバイスにおいて当該制御命令をアクティブにするために当該デバイスの伝送手段に、ある伝送方法に準じた伝送情報を伝送するステップと、
が実行されるものに関する。
【背景技術】
【０００７】
このような制御装置、システム及び方法は、国際特許出願公開に係る文献のＷＯ００／７７７５９から知られている。その中で開示されている制御装置は、複数のデバイス（ＤＶＤプレーヤ、ＶＣＲ、ＣＤプレーヤ）を制御するように構成されたリモートコントロール装置によって形成されている。このリモートコントロール装置は、入力手段を形成しこれによりユーザがキーを操作することによって制御命令を入力することができるキーパッドを有する。かかる制御命令は、例えば再生モードにそのＤＶＤプレーヤを制御するために、「ＰＬＡＹ」（再生）といった制御命令とすることができる。これを行うため、ユーザは、「ＰＬＡＹ」制御命令に割り当てられたキーを操作し、これにより当該キーは、当該キーを識別する入力情報を発することになる。
【０００８】
この既知のリモートコントロール装置のメモリ手段は、入力可能な入力情報であって制御されるべきデバイスにおいて当該制御命令を識別するものに関連する制御コードを記憶する。このリモートコントロール装置の符号化手段は、当該制御コードを判定し、処理初期化ビット及びオプションとしての冗長ビットが挿入された伝送情報を供給する。当該既知のリモートコントロール装置の伝送手段は、赤外線送信器によって形成され、その伝送情報を赤外線信号としてリモートコントロールインターフェース装置へ送信する。このリモートコントロールインターフェース装置は、制御すべきデバイスにＩＥＥＥ１３９４データバスによって接続され、当該所望のデバイスにおいて当該制御命令の実行を活性化する。
【０００９】
当該既知のリモートコントロール装置の場合、メモリ手段に記憶された制御コードが制御されるべきデバイスの特定の製造（業）者によって設定される、という不利な面があることが判明した。非常に沢山の製造者及び付帯する制御コードがあるので、全ての商業的に利用可能なデバイスを制御するための制御コードの全てを単一のリモートコントロール装置に記憶することは事実上不可能であり、それ故、いわゆる汎用のリモートコントロール装置が当該マーケットに導入されたのであり、初期化処理において、こうしたコントロール装置はそのメモリ手段において、制御されるべきユーザのデバイスの制御コードを記憶する。
【００１０】
当該既知のリモートコントロール装置の場合はさらに、符号化手段が伝送方法（例えば赤外線送信方法）に基づいて伝送されるよう制御命令を符号化することは不利であることが判明した。したがって、当該既知のリモートコントロールインターフェース装置は、その受信した制御命令に対応するデータバスに接続されるデバイスを制御するため、当該赤外線送信方法のために製造者Ｘに応じて符号化された当該受信制御命令を復号し、それをＩＥＥＥ１３９４伝送方法に規定された符号化方法に準じて符号化しなければならない。
【発明の開示】
【発明が解決しようとする課題】
【００１１】
本発明の目的は、最初の段落に明記されているタイプに対応する制御装置、２番目の段落に明記されたタイプに対応するシステム、及び３番目の段落に明記されているタイプに対応する制御方法であって、当該デバイスの製造者とは独立して全てのデバイスにおける伝送情報を処理することを可能とするものを提供することである。さらに、制御命令の伝送における不要な符号化及び復号ステップをなくそうとするものである。  
【課題を解決するための手段】
【００１２】
上に明記した目的を達成するため、かかる制御装置において、当該処理手段が、当該伝送方法とは独立した命令符号化方法に準じて入力された入力情報を符号化するための命令符号化手段を有するような構成とされ、ここでの命令ドキュメントは、伝送情報として定められ、この命令ドキュメントは、テキストエディタにより編集可能なテキストの形式で、当該入力された入力情報に関連する制御命令を含むようにしている。
【００１３】
上記目的を達成するため、かかるシステムにおいて、当該処理手段が、当該伝送方法とは独立した命令符号化方法に準じて当該入力された入力情報を符号化するための命令符号化手段を有するような構成とされ、ここでの命令ドキュメントは、伝送情報として定められ、この命令ドキュメントは、テキストエディタにより編集可能なテキストの形式で、当該入力された入力情報に関連する制御命令を含み、また、当該少なくとも１つのデバイスが、当該デバイスにおいて当該制御命令を活性化するために当該命令ドキュメントを復号する命令復号手段を有するように構成される。
【００１４】
上記目的を達成するため、かかる制御方法においては次のような他のステップを実行する。すなわち、
【００１５】
当該伝送方法とは独立した命令符号化方法に準じて当該入力された入力情報を符号化するとともに、命令ドキュメントが伝送情報として判定され、この命令ドキュメントがテキストエディタにより編集可能な形式で当該入力された入力情報に関連する制御命令を含むようにしたステップと、
【００１６】
当該制御命令を活性化するために当該デバイスにおいて当該命令ドキュメントを復号するステップ、
である。
【００１７】
本発明による特徴により、制御装置は、当該制御命令を活性化するため、制御すべきデバイスにおける伝送手段によって又はリモートコントロールインターフェース装置における伝送手段によって評価することのできるテキスト形式にて当該制御命令を伝送する。これにより、このテキスト（例えばＰＬＡＹ又はＣＨＡＮＮＥＬ  ＵＰ）が（規格のように）殆ど全ての製造者の場合において制御命令に共通なものとなり、もって当該テキストが全製造（業）者において翻訳（解読）可能となる、という顕著な効果を奏する。さらに、かかる命令ドキュメントは、選択された１つ又は複数の伝送方法とは独立しており、この結果、当該制御情報が復号され、後にある伝送方法から別のものへの遷移において再符号化される必要がない。
【００１８】
請求項２，９及び１２の特徴によれば、ＸＭＬドキュメントは、再生用の内容を伝送する目的としては慣習的なものとなっており、またリモートコントロール装置により制御命令の本発明による伝送に適したものともなっており、もって同じ装置（ＳＷ及びＨＷ）を、制御命令を受信し変換（解読）するために用いることができる。
【００１９】
請求項３，１０及び１３の特徴によれば、ＷＬＡＮを介した伝送が視線コンタクトなしでも比較的長い距離にわたり可能であり、家中のデバイスの制御を可能とする、という利点が得られる。
【００２０】
請求項４の特徴によれば、ユーザは例えばコンピュータによって、入力情報のメモリ手段に記憶されたアロケーションを制御命令に切り換えることができる、という利点が得られる。同様に、入力情報の各アイテムについて、メモリ手段に全関連ドキュメントを記憶することもでき、かかるドキュメントをユーザがコンピュータによって切り替え可能となり、このようにして１つ以上の制御命令により当該キーパッドのキーの内容を変えるようにすることができる。
【００２１】
請求項５の特徴によれば、当該ドキュメントは、当該伝送された制御命令はどのデバイスについて供給されているかの選択情報も含む、という利点が得られる。
【００２２】
請求項６の特徴によれば、制御すべきデバイスは、個人用のものとされた機能を受け付ける制御装置を識別することができる、という効果を奏する。
【００２３】
請求項７の特徴によれば、制御命令「ＰＬＡＹ」の命令ドキュメントは、幾つかの言語による制御命令（例えば「ＰＬＡＹ」，「ＷＩＥＤＥＲＧＡＢＥ」など）を含むことができ、もって命令ドキュメントの変換（解読）を製造者とは独立してなすだけでなく、幾つかの言語についてなすことができる。
【００２４】
本発明のこれらの態様及びその他の態様を以下に説明する実施例に基づいて明瞭に説明するが、本発明は、これらに限定されるものではない。
【発明を実施するための最良の形態】
【００２５】
図１は、家屋１を概略的に示しており、この家屋には、第１のリモートコントロール装置３及び第２のリモートコントロール装置４を有するシステム２が設けられている。リモートコントロール装置３及び４は、制御装置を形成し、家屋１内の複数のソースデバイス及び再生デバイスの制御のために設けられている。ソースデバイス又はソース（信号源）は、ここではコンピュータＰＣ、ＤＶＤプレーヤＤＶＤ、オーディオＲＡＤＩＯ、ＭＰ３プレーヤＭＰ３の他、第１のテレビジョンセットＴＶ１及び第２のテレビジョンセットＴＶ２を意味するものとして理解されたい。ソースデバイスは、情報源を担い、データリンクＤを介して情報（オーディオ、ビデオ又はデータ）を再生デバイスに出力する。さらに、コンピュータＰＣは、インターネットＮＥＴに接続され、インターネットＮＥＴを介して第１のサーバＳ１及び第２のサーバＳ２からの情報を受信するように構成され、これもシステム２のソースデバイスを形成する。
【００２６】
オーディオスピーカボックスペアＢ１、オーディオスピーカボックスペアＢ２、第１のテレビジョンセットＴＶ１、第２のテレビジョンセットＴＶ２及びモニタＭは、ここでは再生デバイス又はレンダラ（renderer）と理解されたい。再生デバイスは、ソースデバイスからアクティブデータリンクＤを介して再生デバイスに供給される情報の聴覚的及び／又は視覚的再生のために構成される。
【００２７】
それぞれのアクティブデータリンクＤは、第１リモートコントロール装置３及び第２リモートコントロール装置４によって確立され、アクティブデータリンクＤは、当該目的のためにアクティブとなっているソースデバイス及び１つ以上の再生デバイスを接続する。アクティブデータリンクＤが第１リモートコントロール装置３又は第２リモートコントロール装置４により確立されると、他の全ての制御命令ＳＢは、それぞれのアクティブデータリンクＤに接続されているアクティブソースデバイス及び再生デバイスに排他的に関連する。これを可能とするため、各リモートコントロール装置３及び４は、リモートコントロール装置３又は４を明確に識別する識別情報ＫＩにより区別される。
【００２８】
これにより、「ＰＬＡＹ」，「ＳＴＯＰ」，「ＦＯＲＷＡＲＤ」などの制御命令ＳＢは、常にアクティブデータリンクのアクティブソースデバイスに明確に関連し、「ＶＯＬＵＭＥ ＵＰ」，「ＭＵＴＥ」などの制御命令ＳＢは、常にアクティブデータリンクＤの全てのアクティブ再生デバイスに関連する、という効果を奏する。したがってユーザは、個々のデバイス間の切り換えのためにリモートコントロール装置を用いる必要がなく、いずれの場合も１つの制御装置によって、１つのデータリンクＤだけをアクティブにすることができ、その後に当該アクティブとされたデータリンクＤによりアクティブとされたデバイスが制御可能となる。これについては、模範的実施例に基づいてさらに詳しく説明する。
【００２９】
第１リモートコントロール装置３は、第２のリモートコントロール装置４と同じ構成のものであり、図２に詳しく示される。第１リモートコントロール装置３は、入力手段５を有し、この入力手段は、キーパッド６と、第１リモートコントロール装置３のプロセッサ７により実行されるキーパッド読出プログラムとによって形成される。キーパッド６の各キーは、入力情報ＥＩを形成するキーコードが割り当てられている。第１リモートコントロール装置３のユーザがソースデバイスにおいて再生動作モードをアクティブとするために例えば「ＰＬＡＹ」と付されたキーＴ１を操作すると、割り当てられたキー情報Ｔ１が入力情報ＥＩとしてプロセッサ７に供給され、キーパッド読出プログラムにより処理される。
【００３０】
図３は、アロケーションテーブルＺＵを示しており、入力情報ＥＩが制御命令ＳＢに割り当てられている。第１リモートコントロール装置３は、アロケーションテーブルＺＵが記憶されたメモリ手段８を有する。第１リモートコントロール装置３の処理手段９は、プロセッサ７及びメモリ手段８により実行される種々のプログラム（表示起動プログラム、符号化プログラムなど）により形成される。処理手段９は特に、入力された入力情報ＥＩを符号化し伝送手段１０に伝送情報を出力する。
【００３１】
伝送手段１０は、既知の伝送方法ＷＬＡＮ（Wireless Local Area Network Standard
WiFi, IEEE 802.11a/b/g）に準じた当該伝送情報の非接触通信のために構成される。このＷＬＡＮ伝送方法によれば、ラジオ周波数伝送が用いられ、伝送手段１０により送られた伝送情報は、家屋１中で受信可能となる。伝送手段１０に対応する伝送手段１１は、コンピュータＰＣに接続され、伝送手段１０と通信するように構成される。
【００３２】
第１のリモートコントロール装置は、付加的にディスプレイ１２を有し、このディスプレイにより特に図４に示されるリンクテーブル１３が表示可能となる。リンクテーブル１３は、現に受動的に制御されこの結果現にアクティブデータリンクＤへリンクされていない全てのソースデバイス及び再生デバイスを列挙する。これについてのさらなる詳細は、次の用例から明らかとなる。
【００３３】
処理手段９は、ここでは付加的に、伝送方法ＷＬＡＮとは独立した命令符号化方法に準じて入力された入力情報ＥＩを符号化するための命令符号化手段１４を有し、命令ドキュメントＤＯＣは、伝送情報と判定され、テキストエディタにより編集可能なテキストの形式で、入力された入力情報ＥＩに割り当てられた制御命令ＳＢを含んでいる。命令ドキュメントＤＯＣは、ここではいわゆるＸＭＬドキュメント（Extended Markup Language）によって形成される。ＸＭＬドキュメントは、今日既に、ソースデバイスから再生デバイスへのオーディオ及びビデオ情報の伝送のために用いられており、本内容の専門家に知られている。
【００３４】
本発明によれば、ソースデバイス及び再生デバイスを制御するＸＭＬドキュメントは、第１リモートコントロール装置３において作成され、その後に伝送手段により伝送される。ここでのＸＭＬドキュメントは、テキストエディタにより編集可能なテキストの形式で伝送されるべき制御命令ＳＢを含んでいる。ここでは、ＸＭＬドキュメントにおける制御命令ＳＢの符号化が、当該選ばれた伝送方法とは独立したものとすることで特に有利なものとなる。したがって、ＸＭＬドキュメントは、ＷＬＡＮ伝送方法の他、例えば赤外線伝送方法、ＩＥＥＥ１３９４に準じた伝送方法又はＵＳＢデータバスを経由した伝送方法に従って形成可能である。これとは対照的に、従来の赤外線リモートコントロール装置による「ＰＬＡＹ」制御命令ＳＢの伝送は、当該伝送方法に依存しており、制御命令「ＰＬＡＹ」は、例えば当該「ＰＬＡＹ」制御命令がＩＥＥＥ１３９４データバスを介して先へ送られようとした場合には、ＩＥＥＥ１３９４命令コードに準じて赤外線レシーバにおいて復号され符号化されなければならない。
【００３５】
本発明によれば、制御命令ＳＢがＸＭＬドキュメントにテキスト形式で含まれこのテキスト（例えばＰＬＡＹ又はＣＨＡＮＮＥＬ ＵＰ）が規格の如くほぼ全ての製造業者及び顧客の場合において制御命令として慣例的なものであり、したがって全てのソースデバイス及び再生デバイスにおける全製造業者において変換（解読）可能となる、という効果も得られる。したがって、キーに割り当てられた制御命令ＳＢを変えること又はキーに割り当てられた幾つかの制御命令ＳＢを変えることは、用例により次に詳しく説明されるように、特に簡単である。
【００３６】
第１の用例によれば、ここでは、第１のユーザが自分のリモートコントロール装置たる第１のリモートコントロール装置３により、ソースデバイスとしてのＤＶＤプレーヤＤＶＤからコンピュータＰＣを介して再生デバイスとしての第２のテレビジョンセットＴＶ２へのアクティブデータリンクＤを設定し、映画を観ているものとする。さらに、第２のリモートコントロール装置４を持つ第２のユーザがビデオレコーダＶＣＲにより映画を再生しそれを第１のテレビジョンセットＴＶ１で観たいと思っているものとする。これをするために、第２のユーザは、第２のリモートコントロール装置のキーを操作して他のアクティブデータリンクＤを設定する。
【００３７】
コンピュータＰＣから、第２のリモートコントロール装置４は、伝送手段１１及び１０を介して、ＤＶＤプレーヤＤＶＤ及び第２のテレビジョンセットＴＶ２がアクティブデータリンクＤに既にリンクされていること及びネットワークに接続されているソースデバイス及び再生デバイスのどれが依然として受動状態となっているか、従って他のアクティブデータリンクに利用可能かの情報を受信する。処理手段９はここで、ディスプレイにおいてリンクテーブル１３を表示するが、エントリのＤＶＤ及びＴＶ２が選択のために表示されない。第２のユーザは、その後、ソースデバイス又はソースとしてビデオレコーダＶＣＲを、再生デバイス又はレンダラ（renderer）として第１のテレビジョンセットＴＶ１を選択する。対応の情報は、コンピュータＰＣに伝送され、そこでビデオレコーダＶＣＲ及び第１のテレビジョンセットＴＶ１がアクティブとされ、他のアクティブデータリンクＤがこれらデバイス間に設定される。ここでいう他のデータリンクＤは、第２のリモートコントロール装置４と関連づけられ、再び非アクティブとされ又はこれによってのみ切り換わり可能となる。これにより第１リモートコントロール装置３を持つ第１のユーザの入力は、当該映画が第１のテレビジョンセットＴＶ１において再生されていることを見ながら第２のユーザの邪魔をしない。
【００３８】
ソースデバイスに関連する第２のリモートコントロール装置４により第２のユーザによって入力された全ての制御命令ＳＢ（例えばＰＬＡＹ，ＮＥＸＴ，ＳＴＯＰ，ＦＯＲＷＡＲＤなど）は、ビデオレコーダＶＣＲのために識別される第２のリモートコントロール装置４によってここでは伝送される。同様に、再生デバイスに関連する第２のリモートコントロール装置４により第２のユーザによって入力された全ての制御命令ＳＢ（例えばＶＯＬＵＭＥ ＵＰ，ＣＨＡＮＮＥＬ ＵＰ，ＢＲＩＧＨＴＮＥＳＳ ＵＰなど）は、第１のテレビジョンセットＴＶ１のために識別される第２のリモートコントロール装置４により伝送される。これにより、ユーザが制御命令ＳＢが入力される対象のデバイスを識別するために何らかの追加のキーを操作する必要がないという効果が得られる。
【００３９】
他のアクティブデータリンクＤに対する第２リモートコントロール装置４の明確な割り当ても、ユーザが自分に割り当てられたコードを入力することによって自分自身を識別する必要なく、複数のいわゆる個人用のカスタマイズの特徴が可能となるという効果を奏する。実施可能な１つの個人用カスタマイズの特徴は、例えば、第２のユーザが好む特定のメニュー制御が、第１のテレビジョンセットＴＶ１による特定の背景色、テキスト色及びメニューナビゲーションによって表示されることである。同様に、ビデオレコーダＶＣＲにより第２のユーザのために記録されアーカイブシステムに格納された映画は、直接表示可能である。これに関しては、専門家が他の実現可能な多数の個人用カスタマイズの特徴に精通している。
【００４０】
第２のユーザがここでキーＴ１を操作することにより制御命令「ＰＬＡＹ」を入力すると、命令符号化手段１４は、テキストエディタにより編集可能なテキストとして制御命令「ＰＬＡＹ」を含む命令ドキュメントＤＯＣ又は伝送情報として次のＸＭＬドキュメントを作成するように構成される。
<?xml version=“1.0” encoding=“iso-8859-1” standalone=“no” ?>  
<!DOCTYPE XML_Remote SYSTEM “XML_Remote.dtd”>
<RC>
<device type=“VCR” />
<command type=“PLAY” />
</RC>
【００４１】
このように、上記ＸＭＬドキュメントにおいて、ビデオレコーダＶＣＲは、選択情報ＡＩ＝ＶＣＲによりソースデバイスとして識別され、これのために当該ＸＭＬドキュメントに従う制御命令ＳＢの「ＰＬＡＹ」が提供される。ここでは、制御命令ＳＢの「ＰＬＡＹ」がビデオレコーダＶＣＲの製造業者とは独立して復号され、当該再生動作モードの起動のために評価されることが可能となる、という特段の効果を奏する。これは、用語「ＰＬＡＹ」がこのための共通の表現であるからである。
【００４２】
第１のリモートコントロール装置３を第１のユーザの要望に適合するための機会は、特に有利である。その目的のため、伝送手段１０及び１１により、ユーザは、第１リモートコントロール装置３の各キーにつき命令符号化手段１４により作られたＸＭＬドキュメントをコンピュータＰＣに伝送し、それをテキストエディタにより編集することができる。ユーザはここでは、例えば当該ＸＭＬドキュメント内のテキスト「ＰＬＡＹ」をテキスト「ＲＥＷＩＮＤ」に置き換え、伝送手段１０及び１１によりメモリ手段８にその編集されたＸＭＬドキュメントを記憶することにより、制御命令「ＲＥＷＩＮＤ」をキーＴ１に割り当てることができる。但し、これに代えて、リモートコントロール装置３の各キーに属する完全なＸＭＬドキュメントが既に記憶されているようにしてもよい。
【００４３】
同様に、２つ以上の制御命令ＳＢをＸＭＬドキュメントに格納することも可能である。例えば、衛星レシーバの入力を選択するため及びビデオレコーダにおいて記録するための制御命令の組み合わせによってキー５が使われる可能性がある。対応するＸＭＬドキュメントは、次のようにすることができる。
<RC>
<device type=“DVD” />
<command type=“PLAY” />
<device type=“VCR” />
<command type=“RECORD” />
</RC>
【００４４】
これに代えて、対応のＸＭＬドキュメントを次のようにすることもできる。
<RC>
<command>
<device type=“DVD” />
PLAY
</command>
<command>
<device type=“VCR” />
RECORD
</command>
</RC>
【００４５】
したがってユーザは、自分のリモートコントロール装置を自分の条件に特に簡単に適合させることができ、例えば一度に全ての機器をオフに切り換えることが可能となる。同様に、広範な種類のデバイスにおける復号（デコード）を可能とするために、制御命令を幾つかの言語又は幾つかの態様でＸＭＬドキュメントに挿入することができる。例えば、制御命令「ＰＬＡＹ」と制御命令「ＷＩＥＤＥＲＧＡＢＥ」の双方が再生デバイスにおける再生動作モードの起動のためにＸＭＬドキュメントに挿入可能である。
【００４６】
他の使用例によれば、第２のリモートコントロール装置４がディスプレイを持たず、そのために、アクティブデータリンクＤを判定するリンクテーブル１３が現に受動的な再生デバイスによって示されるものとする。さらに、第１のユーザは、ソースデバイスとしてのコンピュータＰＣと再生デバイスとしての第１のテレビジョンセットＴＶ１との間のアクティブデータリンクＤを第１のリモートコントロール装置３により設定しているものとする。第２のリモートコントロール装置４を持つ第２のユーザが他のアクティブデータリンクＤを設定するようにキーを操作すると、リンクテーブル１３が第２のテレビジョンセットＴＶ２及びモニタＭにより表示される。第２のユーザがそのときモニタＭ又は第２のテレビジョンセットＴＶ２の前にいるかどうかにかかわらず、ユーザは、ここで所望のソースデバイス及び再生デバイスを選択することができ、これにより、選ばれていない再生デバイスが受動状態に再び設定される。ここでは特に、第１のユーザが自分が映画を観ている間に邪魔されないという顕著な効果を奏する。
【００４７】
ユーザが選択をなすことを可能とするため、再生デバイスとしての第１のスピーカボックスペアＢ１及び第２のスピーカボックスペアＢ２は、音響的にリンクテーブル１３を再生可能である。同様に、第２のリモートコントロール装置４は、リンクテーブル１３の音響的再生のための内臓又は組み込み式ラウドスピーカを有するものとすることができる。
【００４８】
第１のユーザは、付加的に、自分が起動したデータリンクに対して随時他の再生デバイスを起動することができるし、或いは、既にアクティブとなっている再生デバイスを起動解除させることもできる。ユーザが、例えば、第１のテレビジョンセットＴＶ１によるその映画の鑑賞を止めたくなく第２のテレビジョンセットＴＶ２に切り換えたいときにこれを行うのである。
【００４９】
なお、システム２のソースデバイス及び再生デバイスの各々、又はシステム２の複数のソースデバイス及び再生デバイスは、ＷＬＡＮ伝送方法又はこれに匹敵する伝送方法に準じて伝送データの伝送を行う伝送手段を有することもできる。ＸＭＬドキュメントＤＯＣにおいて共に伝送される第１のリモートコントロール装置３又は第２のリモートコントロール装置４の識別情報ＫＩにより、そしてＸＭＬドキュメントＤＯＣにおいて共に伝送される選択情報ＡＩにより、当該情報が当該制御命令ＳＢが意図されるところのデバイスを識別するものとして、当該デバイスの各々は、受信したＸＭＬドキュメントＤＯＣをそれ相応に処理することができる。
【００５０】
また、制御命令ＳＢ又は入力情報ＥＩに割り当てられた完全なＸＭＬドキュメントＤＯＣは、メモリ手段８に記憶可能である。但しその場合、選択情報ＡＩをＸＭＬドキュメントＤＯＣに含ませることができないと考えられる。同様に、上述したように、命令符号化手段１４が特定のキーＴのＸＭＬドキュメントを当該キーが操作された後にだけ構成しもって符号化することができる。
【００５１】
さらに、伝送手段１１は、図１に示される全ての装置（ソースデバイス及び再生デバイス）の伝送手段として設けられる。したがって、伝送手段１１は、全てのデバイスについて命令ドキュメントＤＯＣを復号し対応のアドレス指定された制御命令ＳＢをそれぞれのデバイスに供給する命令符号化手段を含むことができる。他方、各デバイスは、命令復号手段を持つこともできる。
【００５２】
また、当該アクティブデータリンクに対して起動される複数のデバイスを制御するために、複数の独立したアクティブデータリンクを１つの制御装置により設定することもできる。但しこの場合、ユーザは、いずれの場合も当該制御命令が入力される対象のアクティブデータリンクを選択しなければならないと想定される。
【図面の簡単な説明】
【００５３】
【図１】それぞれ制御装置を形成する第１のリモートコントロール装置及び第２のリモートコントロール装置により制御される幾つかのデバイスを有するシステムを示す図。
【図２】図１による第１のリモートコントロール装置を示す図。
【図３】第１のリモートコントロール装置のメモリ手段に記憶されるアロケーションテーブルであって、互いにアロケートされた入力情報及び制御命令を記憶するものを示す図。
【図４】第１のリモートコントロール装置のディスプレイによる表示のためのリンクテーブルであって、データリンクのために活性化可能なソースデバイス及び再生デバイスを列挙するものを示す図。
【図１】
2007506343.tif 000003
【図２】
2007506343.tif 000004
【図３】
2007506343.tif 000005
【図４】
2007506343.tif 000006
【国際調査報告】
2007506343.tif 000007
2007506343.tif 000008
2007506343.tif 000009